(57)【特許請求の範囲】
【請求項１】
排水口内に十字状、Ｙ字状、又は一文字状のリブが形成された洗面及び手洗用ボウル等において、該排水口を覆うカバー体と、該カバー体に垂下させた支軸体とでなり、該支軸体の下端には、排水口内のリブに装着する切欠溝が形成されている排水口カバーであって、少なくとも１つの該切欠溝がその入口を排水口内のリブ幅よりやや狭くし、支軸体による案内で排水口カバーが排水口内へ導入され、更に、案内された狭くなっている切欠溝の入口にリブが押込まれて挿入し、狭くなっている入口で抜止めされることを特徴とする排水口カバー。
【請求項２】
支軸体を筒状体とし、その周囲面には、排水が該筒状体への通水できる複数の通水口を形成し、且つ支軸体の排水口へのガイド及びふれ止めの安定をさせる複数の案内片が形成されていることを特徴とする請求項１に記載の排水口カバー。
【請求項３】
支軸体の下方には、排水口内の十字状、Ｙ字状、又は一文字状のリブに装着する切欠溝が下端に形成され、支軸体との回転を可能とするリング帯が設けられたことを特徴とする請求項１乃至２のいずれか１項に記載の排水口カバー。
【請求項４】
カバー体に垂下させた支軸体が、その基部において、カバー体との回転可能な嵌め合い成形されてなることを特徴とする請求項１乃至２のいずれか１項に記載の排水口カバー。
【発明の詳細な説明】
【技術分野】
【０００１】  本発明は、排水口内に十字状、Ｙ字状、又は一文字状のリブが形成された洗面及び手洗用ボウル等における排水口を覆う排水口カバーに関するものである。
【背景技術】
【０００２】  一般に、浴槽、及び洗面台、流し台、手洗器等の水槽の排水口は、使用過程において、水垢やぬめりで汚れが発生し、使用者に不快感を与えている。
そこで、洗面、及び手洗用ボウル等の排水口には、その汚れを見えないようにする排水口カバーを備えたものがある。
この排水口カバーは、排水口を覆うカバー体と、該カバー体より垂下された軸部と、該軸部下端に備えられた錘体とでなり、カバー体下面には通水部が形成される複数の脚部を設け、軸部の周囲には螺旋状の回転翼を固着するものである。
【先行技術文献】
【特許文献】
【０００３】
【特許文献１】  特開２００８−２５５５９８
【発明の概要】
【発明が解決しようとする課題】
【０００４】  カバー体と、軸部と、錘体とでなる排水口カバーは、錘体で排水口カバーの浮上を抑制していても排水口に固定されていないので容易に排水口より外れて、ややもすれば、排水口を覆うという役目を果せなくなり、不都合である。
また、洗面、及び手洗用ボウル等の排水口内に、十字状、Ｙ字状、又は一文字状のリブが形成されている場合、カバー体と、軸部と、錘体とでなる排水口カバーは、該リブに軸部下端の錘体が打ち当って排水口に置き据えることができなく、具合悪い。【０００５】  そこで、本発明は、排水口内に、十字状、Ｙ字状、又は一文字状のリブが形成された洗面及び手洗用ボウル等においての排水口に、置き据えることのできる排水口カバーを得ることにある。
【課題を解決するための手段】
【０００６】  本発明の排水口カバーは、排水口内に十字状、Ｙ字状、又は一文字状のリブが形成された洗面及び手洗用ボウル等において、該排水口を覆うカバー体と、該カバー体に垂下させた支軸体とでなり、該支軸体の下端には、排水口内のリブに装着する切欠遘が形成されているものである。【０００７】 該支軸体の下端には、排水口内のリブに装着する切欠溝を形成し、少なくとも１つの該切欠溝がその入口を排水口内のリブ幅よりやや狭くし、支軸体による案内で排水口カバーが排水口内へ導入され、更に、案内された狭くなっている切欠溝の入口にリブが押込まれて挿入し、狭くなっている入口で抜止めされる。【０００８】  本発明の排水口カバーは、カバー体と支軸体とでなり、該支軸体を筒状体とし、その筒状体周囲面には排水が該筒状体内へ通水できる複数の通水口を形成し、且つ支軸体の排水口へのガイド及びふれ止めの安定をさせる複数の案内片が形成されているものである。【０００９】  本発明の排水口カバーは、支軸体の下方には、排水口内の十字状、Ｙ字状、又は一文字状のリブに装着する切欠溝が下端に形成され、支軸体との回転を可能とするリング帯が設けられるものである。【００１０】  本発明の排水口カバーは、カバー体に垂下させた支軸体が、その基部において、カバー体との回転可能な嵌め合い成形されてなるものである。
【発明の効果】
【００１１】  本発明の排水口内に十字状、Ｙ字状、又は一文字状のリブが形成された洗面及び手洗用ボウル等においての排水口カバーは、支軸体の下端の切欠溝が排水口内のリブに装着されるので、排水口より外れることなく、常に、排水口の汚れを隠すことができ、使用者に不快感を与えないですむ。そして、排水口を塞ぐようなものが流れてきても、排水口カバーが妨げるので排水の流れを阻害するようなことはない。
また、ボウルに釣合った形状で方向性のあるカバー体とすることで、意匠効果を醸し、使用者に快感を与えることになる。【００１２】  本発明の排水口カバーは、排水口カバーが排水口を覆うカバー体と、該カバー体に垂下させた支軸体とでなり、該支軸体の下端には排水口内のリブに装着する切欠溝を形成し、少なくとも１つの切欠溝が入口を排水口内のリブ幅よりやや狭くされているので、排水口カバーが支軸体による案内で排水口内へ難なく導入され、更に、案内された狭くなっている切欠溝の入口へリブを簡単に押込み、容易に挿入係止することができ、抜止めできる。【００１３】  本発明の排水口カバーは、排水口をカバー体が覆っていても、カバー体とボウル底面とには隙間があり、排水口に装填された支軸体には通水口があって、該通水口を通って筒状体内に排水が堰止めることなく流れるので、水垢などの汚れが発生し難く、都合よい。
また、支軸体の周囲には、案内片が形成され、排水口への排水口カバーの装填時における支軸体のガイドとなると共に、この案内片が装填された排水口カバーのふれ止めになる。【００１４】  本発明の排水口カバーは、支軸体の下方に設けられた排水口内のリブに装着する切欠溝が形成され、回転を可能とするリング帯、或いは、支軸体がその基部において、カバー体との回転可能な嵌め合い成形されていることによって、切欠溝が排水口内のリブに装着されて排水口カバーを固定しても、カバー体を回転させることができ、したがって、排水口カバーの排水口への装填設置後でも、洗面及び手洗用ボウル等の形状に合うように方向性のあるカバー体の向きを変えることができ、便利である。
【図面の簡単な説明】
【００１５】
【図１】  排水口内の十字状リブに装着する切欠溝が下端に形成され、支軸体との回転を可能とするリング帯が設けられた排水口カバーの排水口への装填状態図である。
【図２】  回転可能なリング帯が設けられた排水口カバーの上面図である。
【図３】  回転可能なリング帯が設けられた排水口カバーの図１によるＡ−Ａ断面図である。
【図４】  回転可能なリング帯が設けられた排水口カバーの図２によるＢ−Ｂ断面図である。
【図５】  回転可能なリング帯が設けられた排水口カバーの下面図である。
【図６】  支軸体の基部において、カバー体との回転可能な嵌め合い成形された排水口カバーの排水口への装填状態図である。
【図７】  カバー体との回転可能な嵌め合い成形された排水口カバーの上面図である。
【図８】  カバー体との回転可能な嵌め合い成形された排水口カバーの図６によるＡ−Ａ断面図である。
【図９】  カバー体との回転可能な嵌め合い成形された排水口カバーの図７によるＢ−Ｂ断面図である。
【図１０】  カバー体との回転可能な嵌め合い成形された排水口カバーの下面図である。
【発明を実施するための形態】
【００１６】  排水口内に十字状、Ｙ字状、又は一文字状のリブが形成された洗面及び手洗用ボウル等において、該排水口を覆うボウルの形状に相似したカバー体と、該カバー体に垂下させた支軸体とでなり、該支軸体に形成された切欠溝で排水口内のリブに装着させる排水口カバーである。
【実施例１】
【００１７】  排水口カバー１は、図１乃至図５に示す如く、排水口内に十字状等のリブ４を形成した洗面及び手洗用ボウル等の排水口３に装着される該排水口を覆うカバー体５と、該カバー体に垂下された支軸体７とでなり、該支軸体の下方には、排水口内の十字状などのリブ４に装着する切欠溝８０が下端に形成され、支軸体７との回転を可能とするリング帯８が設けられている。
カバー体５は、排水口カバー１が装着される洗面及び手洗用ボウルに釣合った方向性のある形状にし、排水口カバー１を排水口３に装着した際に、意匠的効果を得ることができる。また、排水口カバー１がリング帯８の切欠溝８０を排水口３内のリブ４に装着して固定された後でも、リング帯８が支軸体７との回転を可能とするので、カバー体５を洗面及び手洗用ボウル等の形状に釣合うように向きを変えることができる。
尚、切欠溝８０には、少なくともその１つを外れにくくした切欠溝８１とする。
支軸体７は、筒状体とし、その周囲面には複数の通水口７１及び案内片７２が形成され、排水口３に装着された排水口カバー１のカバー体５とボウル底面との間を通った排水は、支軸体７に複数の通水口７１を形成することによって堰止められることなく円滑に流れ、水捌けがよいので、汚れを発生し難くしている。また、案内片７２は、排水口カバー１の排水口３への装填時における支軸体７のガイドとなると共に、ふれ止めをする。
【実施例２】
【００１８】  排水口カバー２は、図６乃至図１０に示す如く、排水口内に十字状等のリブ４を備えた洗面及び手洗用ボウル等の排水口３に装着される該排水口を覆うカバー体６と、該カバー体に垂下させた支軸体９とでなり、支軸体９の基部９１がカバー体６と回転可能な嵌め合い成形にされ、そして、支軸体９の下方には、排水口内の十字状などのリブ４に装着する切欠溝１０、１１が形成されている。切欠溝１０には、少なくともその１つを外れにくくした切欠溝１１とする。
支軸体９の基部を回転可能な嵌め合い成形にすることで、排水口カバー２を排水口３へ装着後において、カバー体６の方向を回転して洗面及び手洗用ボウル等の形状に釣合うような向きへ変えることができる。
支軸体９は筒状体とし、その周囲面には複数の通水口９２及び案内片９３が形成され、通水口９２は排水を流れやすくし、案内片９３は支軸体９の排水口３への装填をガイドすると共に、ふれ止めをしている。
【実施例３】
【００１９】  排水口カバー１，２は、図１乃至図１０に示す如く、排水口カバー１，２が排水口３を覆うカバー体５，６と、該カバー体に垂下させた支軸体７，９とでなり、該支軸体の下端には排水口３内のリブ４に装着する切欠溝８０、１０を形成し、少なくとも１つの切欠溝が入口を排水口のリブ４幅よりやや狭くされて外れにくくした切欠溝８１、１１とすることによって、排水口カバー１，２が支軸体７，９による案内で排水口３内へ難なく導入され、更に、切欠溝８０，１０、及び外れにくくした切欠溝８１、１１にリブ４を案内し、該リブが切欠溝８０，１０、及び外れにくくした切欠溝８１，１１へ押込まれ、その結果、外れにくくした切欠溝８１，１１の狭くした入口にも挿入されることになり、該入口で抜止めされることになる。
【符号の説明】
【００２０】１      排水口カバー
２      排水口カバー
３      排水口
４      リブ
５      カバー体
６      カバー体
７      支軸体
７１    通水口
７２    案内片
８      リング帯
８０    切欠溝
８１    外れにくくした切欠溝
９      支軸体
９１    基部
９２    通水口
９３    案内片
１０    切欠溝
１１    外れにくくした切欠溝
【図１】
0005641289.tif 000002
【図２】
0005641289.tif 000003
【図３】
0005641289.tif 000004
【図４】
0005641289.tif 000005
【図５】
0005641289.tif 000006
【図６】
0005641289.tif 000007
【図７】
0005641289.tif 000008
【図８】
0005641289.tif 000009
【図９】
0005641289.tif 000010
【図１０】
0005641289.tif 000011